【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
少なくとも１つの熱可塑性材料と、多孔質コア層の総重量に基づく、約２０重量％〜約８０重量％の繊維とを備える少なくとも１つの前記多孔質コア層と、
前記少なくとも１つの多孔質コア層の表面の少なくとも一部を被覆する少なくとも１つの外皮であって、熱可塑性膜、弾性膜、金属箔、熱硬化性塗料、無機塗料、繊維ベースのスクリム、不織布および織布のうちの少なくとも１つを含み、ＩＳＯ４５８９で測定した約２２より大きい限界酸素指数を有する外皮と、
を備える複合シート材料。
【請求項２】
前記熱可塑性膜が、ポリエーテルイミド、ポリエーテルケトン、ポリエーテル・エーテルケトン、ポリフェニレンサルファイド、ポリアリレンスルホン、ポリエーテルスルホン、ポリアミドイミド、ポリ（１，４−フェニレン）、ポリカーボネート、ナイロンおよびシリコーンのうちの少なくとも１つを備える、請求項２に記載の複合シート材料。
【請求項３】
前記繊維ベースのスクリムが、ガラス繊維、アラミド繊維、グラファイト繊維、炭素繊維、無機鉱物繊維、金属繊維、金属化合成繊維および金属化無機繊維のうちの少なくとも１つを備える、請求項１に記載の複合シート材料。
【請求項４】
前記繊維ベースのスクリムが、ポリアクリロニトリル、ｐ−アラミド、ｍ−アラミド、ポリ（ｐ−フェニレン２，６，ベンゾビスオキサゾール）、ポリエーテルイミドおよびポリフェニレンサルファイドのうちの少なくとも１つを備える、請求項３に記載の複合シート材料。
【請求項５】
前記熱硬化性塗料が、不飽和ポリウレタン、ビニルエステル、フェノールおよびエポキシのうちの少なくとも１つを備える、請求項１に記載の複合シート材料。
【請求項６】
前記無機塗料が、Ｃａ、Ｍｇ、Ｂａ、Ｓｉ、Ｚｎ、ＴｉおよびＡｌから選択される陽イオンを含む鉱物を備える、請求項１に記載の複合シート材料。
【請求項７】
前記無機塗料が、石こう、炭酸カルシウムおよびモルタルのうちの少なくとも１つを備える、請求項６に記載の複合シート材料。
【請求項８】
第１の面および第２の面を有する第１の多孔質コア層と、前記第１の面および第２の面の少なくとも一方の一部を被覆する少なくとも１つの外皮とを備える、請求項１に記載の複合シート材料。
【請求項９】
各々が第１および第２の面を備える第１および第２の多孔質コア層であって、前記第１のコア層の前記第２の面が、前記第２のコア層の前記第１の面に隣接して配置されている、前記第１および第２の多孔質コア層と、
前記第１のコア層の前記第１および第２の面、および前記第２のコア層の前記第１および第２の面のうちの少なくとも一方の少なくとも一部を被覆する少なくとも１つの外皮と、
を備える、請求項１に記載の複合シート材料。
【請求項１０】
前記第１の多孔質コア層が、前記第２の多孔質コア層とは異なる熱可塑性材料および前記第２の多孔質コア層とは異なる繊維のうちの少なくとも一方を備える、請求項９に記載の複合シート材料。
【請求項１１】
各々が第１および第２の面を備える第１、第２および第３の多孔質コア層であって、前記第１のコア層の前記第２の面が、前記第２のコア層の前記第１の面に隣接して配置されており、前記第２のコア層の前記第２の面が、前記第３のコア層の前記第１の面に隣接して配置されている、前記第１、第２および第３の多孔質コア層と、
前記第１のコア層の前記第１および第２の面、前記第２のコア層の前記第１および第２の面、および前記第３のコア層の前記第１および第２の面のうちの少なくとも一つを被覆する少なくとも１つの外皮と、
を備える、請求項１に記載の複合シート材料。
【請求項１２】
前記多孔質コア層のうちの１つが、前記他の層の少なくとも一方とは異なる熱可塑性材料および異なる繊維のうちの少なくとも一方を備える、請求項１１に記載の複合シート材料。
【請求項１３】
多孔質繊維強化熱可塑性プラスチックシートの製造方法であって、
熱可塑性材料と、約２０重量％〜約８０重量％の繊維とを含む少なくとも１つの多孔質コア層を備える多孔質繊維強化熱可塑性プラスチックシートを形成するステップと、
前記多孔質繊維強化熱可塑性プラスチックシートの一つの面に少なくとも１つの外皮を積層するステップであって、各外皮が、熱可塑性膜、弾性膜、金属箔、熱硬化性塗料、無機塗料、繊維ベースのスクリム、不織布および織布のうちの少なくとも１つを備え、前記多孔質繊維強化熱可塑性プラスチックシートの火炎特性、煙特性、放熱特性およびガス放出特性のうちの少なくとも１つを向上させるために、ＩＳＯ４５８９で測定した約２２より大きい限界酸素指数を有するステップと、
を含む方法。
【請求項１４】
前記熱可塑性膜が、ポリエーテルイミド、ポリエーテルケトン、ポリエーテル・エーテルケトン、ポリフェニレンサルファイド、ポリアリレンスルホン、ポリエーテルスルホン、ポリアミドイミド、ポリ（１，４−フェニレン）、ポリカーボネート、ナイロンおよびシリコーンのうちの少なくとも１つを備える、請求項１３に記載の方法。
【請求項１５】
前記繊維ベースのスクリムが、ガラス繊維、アラミド繊維、グラファイト繊維、炭素繊維、無機鉱物繊維、金属繊維、金属化合成繊維および金属化無機繊維のうちの少なくとも１つを備える、請求項１３に記載の方法。
【請求項１６】
前記繊維ベースのスクリムが、ポリアクリロニトリル、ｐ−アラミド、ｍ−アラミド、ポリ（ｐ−フェニレン２，６，ベンゾビスオキサゾール）、ポリエーテルイミドおよびポリフェニレンサルファイドのうちの少なくとも１つを備える、請求項１５に記載の方法。
【請求項１７】
前記熱硬化性塗料が、不飽和ポリウレタン、ビニルエステル、フェノールおよびエポキシのうちの少なくとも１つを備える、請求項１３に記載の方法。
【請求項１８】
前記無機塗料が、Ｃａ、Ｍｇ、Ｂａ、Ｓｉ、Ｚｎ、ＴｉおよびＡｌから選択される陽イオンを含む鉱物を備える、請求項１３に記載の方法。
【請求項１９】
前記無機塗料が、石こう、炭酸カルシウムおよびモルタルのうちの少なくとも１つを備える、請求項１８に記載の方法。
【請求項２０】
前記多孔質繊維強化熱可塑性プラスチックシートを形成するステップが、第１の面および第２の面を有する第１の多孔質コア層を備える多孔質繊維強化熱可塑性プラスチックシートを形成するステップを含み、前記少なくとも１つの外皮を積層するステップが、前記第１および第２の面のうちの少なくとも一方を被覆する少なくとも１つの外皮を積層するステップを含む、請求項１３に記載の方法。
【請求項２１】
前記多孔質繊維強化熱可塑性プラスチックシートを形成するステップが、各々が第１および第２の面を有する第１および第２の多孔質コア層を備える多孔質繊維強化熱可塑性プラスチックシートを形成するステップを含み、前記第１のコア層の前記第２の面が、前記第２のコア層の前記第１の面に隣接して配置されており、前記少なくとも１つの外皮を積層するステップが、前記第１のコア層の前記第１および第２の面、および前記第２のコア層の前記第１および第２の面のうちの少なくとも一方を被覆する少なくとも１つの外皮を積層するステップを含む、請求項１３に記載の方法。
【請求項２２】
前記多孔質繊維強化熱可塑性プラスチックシートを形成するステップが、各々が第１および第２の面を有する第１、第２および第３の多孔質コア層を備える多孔質繊維強化熱可塑性プラスチックシートを形成するステップを含み、前記第１のコア層の前記第２の面が、前記第２のコア層の前記第１の面に隣接して配置されており、前記第２のコア層の前記第２の面が、前記第３のコア層の前記第１の面に隣接して配置されており、前記少なくとも１つの外皮を積層するステップが、前記第１のコア層の前記第１および第２の面、前記第２のコア層の前記第１および第２の面、および前記第３のコア層の前記第１および第２の面のうちの少なくとも１つを被覆する少なくとも１つの外皮を積層するステップを含む、請求項１３に記載の方法。
【請求項２３】
前記外皮が、繊維ベースのスクリム、不織布および織布のうちの少なくとも１つを備える、請求項１３に記載の方法。